(57)【要約】【課題】段窓または連窓として構成される窓であって、窓が直接風雨にさらされても漏水や漏気が防止できる気水密性の高いアタッチメント付きの窓を提供する。【解決手段】横枠および縦枠１，２により矩形に構成される枠体を中間枠５により上下または左右に仕切る。中間枠５により仕切られた枠内の障子より室内側に取付けるアタッチメント１４，１５により、各枠内に互いに異なる種類の障子を収容して段窓または連窓を構成する。アタッチメント１４，１５と障子７の室内側の面との間に設けられた第１のシーリング材４０，４６と、アタッチメント１４，１５と枠体１，２の室内側部分との間に設けられた乾式の第２のシーリング材４１，４７とを備える。【選択図】図５
2014058795.tif 000002
【特許請求の範囲】
【請求項１】
横枠および縦枠により矩形に構成される枠体を中間枠により上下または左右に仕切り、前記中間枠により仕切られた枠内の障子より室内側に取付けるアタッチメントにより、各枠内に互いに異なる種類の障子を収容して段窓または連窓として構成される窓において、
前記アタッチメントと障子の室内側の面との間に設けられた第１のシーリング材と、前記アタッチメントと前記枠体の室内側部分との間に設けられた乾式の第２のシーリング材とを備えたことを特徴とする窓。
【請求項２】
請求項１に記載の窓において、
前記第１のシーリング材と前記第２のシーリング材とを、前記アタッチメントにおける見付け方向に延びる直線上に配置したことを特徴とする窓。
【請求項３】
請求項１または２に記載の窓おいて、
前記アタッチメントを設ける枠体の見込み面に、先端部を室外側に曲成したかぎ状の突起を形成すると共に、前記アタッチメントに前記突起に係合させる係合部を形成したことを特徴とする窓。
【請求項４】
請求項１から３までのいずれか1項に記載の窓において、
前記異種の障子を構成する一方の障子は、嵌め殺し窓として構成される障子であり、
前記嵌め殺し窓を構成するアタッチメントとして、障子より室内側に設けられる前記アタッチメントの他に、室外側に設けられて押縁としての役目を有する別のアタッチメントを備えたことを特徴とする窓。
【請求項５】
請求項１から４までのいずれか１項に記載の窓において、
前記中間枠により仕切られた一方の枠内に取付けられる窓が外開き窓であり、
前記外開き窓を構成する障子の框の室外側に、弾性材でなる水切り片を取付けたことを特徴とする窓。
【請求項６】
請求項５に記載の窓において、
前記水切り片が、前記枠体の見込み面に形成した突起に接触する室内側水切り部と、前記枠体の見付け面に当接する室外側水切り部とを備えたことを特徴とする窓。
【請求項７】
請求項１から６までのいずれか1項に記載の窓において、
前記中間枠により仕切られた一方の枠内に取付けられる窓が外開き窓であり、
前記外開き窓の障子を収容する枠体の上枠に弾性材からなる水切り片を取付け、
この水切り片は、障子を閉じた状態において、障子の上框から上方に突出させた突出片を当接させる室内側水切り部と、前記突出片から離れてこの突出片の見付け面に対面する室外側水切り部とを備えたことを特徴とする窓。
【発明の詳細な説明】
【技術分野】
【０００１】
本発明は、ビルや住宅等に設置される窓に係わり、より詳しくは、外開き窓と嵌め殺し窓が左右に連続した連窓や、外開き窓と嵌め殺し窓が上下に連続した段窓等のように、異種の障子を上下または左右に並べて構成される窓に関する。
【背景技術】
【０００２】
従来より、汎用枠の不要部分を切断してアタッチメントを取付けることにより、枠体内に異種の障子を取付けた段窓が知られている。例えば特許文献１には、縦外すべり出し窓や嵌め殺し窓を収容した段窓が開示されている。一方、室内側に押縁として設けるアタッチメントにより、嵌め殺し窓を構成した窓が特許文献２に開示されている。特許文献２に記載の障子の取付け構造においては、押縁にシーリング材を取付け、このシーリング材を障子に当接させて押縁を枠体に係合し固定した構造を有している。
【先行技術文献】
【特許文献】
【０００３】
【特許文献１】実開平７−６４６７号公報
【特許文献２】特開２００６−６３５２４号公報
【発明の概要】
【発明が解決しようとする課題】
【０００４】
近年、バルコニーなしの超高層マンションが増えて来ており、直接風雨にさらされる窓が増えてきている。このような窓では、従来の気密性能では室内に漏気したり、長時間降雨や外壁流下水により室内に漏水したりするという不具合を生じることがあった。特に共通の枠体を上向きまたは横向きの中間枠で仕切り、中間枠で仕切られた２つの枠内に外開き窓と嵌め殺し窓のような異種の障子を収容する場合、これらの異種の障子を同じ枠材を使用して構成する上でアタッチメントを使用することが必要となり、アタッチメントと枠体との間から漏水したり漏気したりすることがあった。
【０００５】
また、漏水や漏気があると、その都度シーリング材でシールを施していたが、施工に手間がかかり、コスト高になるという問題点があった。また、従来の窓の構造では、室外側から水が浸入するルートが複数あるため、気水密性を確保するためには複数個所のシーリングが必要となり、手間とコストを要するという問題点があった。
【０００６】
本発明は、上記問題点に鑑み、段窓または連窓として構成される窓であって、気水密性を向上させたアタッチメント付きの窓を提供することを目的とする。
【課題を解決するための手段】
【０００７】
請求項１の窓は、横枠および縦枠により矩形に構成される枠体を中間枠により上下または左右に仕切り、前記中間枠により仕切られた枠内の障子より室内側に取付けるアタッチメントにより、各枠内に互いに異なる種類の障子を収容して段窓または連窓として構成される窓において、
前記アタッチメントと障子の室内側の面との間に設けられた第１のシーリング材と、前記アタッチメントと前記枠体の室内側部分との間に設けられた乾式の第２のシーリング材とを備えたことを特徴とする。
【０００８】
請求項２の窓は、請求項１に記載の窓において、
前記第１のシーリング材と前記第２のシーリング材とを、前記アタッチメントにおける見付け方向に延びる直線上に配置したことを特徴とする。
【０００９】
請求項３の窓は、請求項１または２に記載の窓おいて、
前記アタッチメントを設ける枠体の見込み面に、先端部を室外側に曲成したかぎ状の突起を形成すると共に、前記アタッチメントに前記突起に係合させる係合部を形成したことを特徴とする。
【００１０】
請求項４の窓は、請求項１から３までのいずれか1項に記載の窓において、
前記異種の障子を構成する一方の障子は、嵌め殺し窓として構成される障子であり、
前記嵌め殺し窓を構成するアタッチメントとして、障子より室内側に設けられる前記アタッチメントの他に、室外側に設けられて押縁としての役目を有する別のアタッチメントを備えたことを特徴とする。
【００１１】
請求項５の窓は、請求項１から４までのいずれか１項に記載の窓において、
前記中間枠により仕切られた一方の枠内に取付けられる窓が外開き窓であり、
前記外開き窓を構成する障子の框の室外側に、弾性材でなる水切り片を取付けたことを特徴とする。
【００１２】
請求項６の窓は、請求項５に記載の窓において、
前記水切り片が、前記枠体の見込み面に形成した突起に接触する室内側水切り部と、前記枠体の見付け面に当接する室外側水切り部とを備えたことを特徴とする。
【００１３】
請求項７の窓は、請求項１から６までのいずれか1項に記載の窓において、
前記中間枠により仕切られた一方の枠内に取付けられる窓が外開き窓であり、
前記外開き窓の障子を収容する枠体の上枠に弾性材からなる水切り片を取付け、
この水切り片は、障子を閉じた状態において、障子の上框から上方に突出させた突出片を当接させる室内側水切り部と、前記突出片から離れてこの突出片の見付け面に対面する室外側水切り部とを備えたことを特徴とする。
【発明の効果】
【００１４】
請求項１の発明によれば、障子の室外側と枠体との間にも水切り片やシーリング材が設けられ、この室外側水切り片やシーリング材と本発明により設ける乾式のシーリング材との間に空間が形成されるが、この空間と窓の室内側との間が乾式のシーリング材によって高い気密性で密閉されるため、強風の多い高層域であっても、外気と前記空間との気圧差が微小となり、気圧差による前記空間への雨水の浸入が防止され、このことから、室内への漏水の防止効果が促進される。
【００１５】
請求項２の発明によれば、室内側アタッチメントに係わる第１のシーリング材と前記第２のシーリング材とを、前記アタッチメントにおける見付け方向に延びる直線上に配置したので、外気と室内とを仕切る空間の室内外方向の距離が大きくなり、より漏水や漏気防止効果が促進される。
【００１６】
請求項３の発明によれば、アタッチメントを設ける枠体の見込み面に形成したかぎ状の突起に、アタッチメントに設けた係合部を係合させたので、強固なアタッチメントの支持構造が得られる。
【００１７】
請求項４の発明によれば、嵌め殺し窓の室外側にもアタッチメントを備えたので、嵌め殺し窓と組み合わせて構成する窓の構成が嵌め殺し窓による制約を受けにくくなり、構成の自由度が上がる。
【００１８】
請求項５の発明によれば、外開き窓を構成する障子の框に、弾性材でなる水切り片を取付けたので、漏水や漏気防止効果が促進される。
【００１９】
請求項６の発明によれば、枠体の見込み面に形成した突起に接触する室内側水切り部と、枠体の見付け面に当接する室外側水切り部とを備えた水切り片の構成としたので、枠体を伝って流下する雨水の窓内への浸入が良好に防止される。
【００２０】
請求項７の発明によれば、外開き窓の障子を閉じた状態において、障子の上框から上方に突出させた突出片を当接させる室内側水切り部と、前記突出片から室外側に離れてこの突出片の見付け面に対面する室外側水切り部とを有する水切り片を上枠に取付けたので、室外側水切り部によって雨水を障子に接触させることなく落下させることができる上、下から吹き上げる雨水も室内側水切り部によって障子内への浸入を防止することが可能となり、良好な漏水や漏気防止効果が得られる。
【図面の簡単な説明】
【００２１】
【図１】本発明の一実施の形態である段窓を室内側から見た正面図である。
【図２】図１のＥ−Ｅ拡大断面図である。
【図３】図２の上部拡大断面図である。
【図４】図２の下部拡大断面図である。
【図５】図１のＦ−Ｆ拡大断面図である。
【図６】図１のG−G拡大断面図である。
【図７】図５の外開き窓の枢着部側の構成を示す拡大断面図である。
【図８】図５の外開き窓の自由端側の構成を示す拡大断面図である。
【図９】図３の上部の水切り片の構成を示す拡大断面図である。
【図１０】この実施の形態の嵌め殺し窓のシール構造を示す図６の要部拡大断面図である。
【図１１】図１０の変形例を示す要部拡大断面図である。
【図１２】本発明の他の実施の形態である連窓を室内側から見た正面図である。
【発明を実施するための形態】
【００２２】
図１は本発明の一実施の形態である段窓を室内側から見た正面図、図２は図１のＥ−Ｅ拡大断面図、図３、図４はそれぞれ図２の上部、下部拡大断面図、図５、図６はそれぞれ図１のＦ−Ｆ、G−G拡大断面図である。図１〜図６において、１、２は縦枠、３は上枠、４は下枠、５は中間枠（無目）である。これらの枠材１〜５は、例えば、アルミニウム合金製または樹脂製押出形材からなる。上枠３、下枠４および中間枠５はそれぞれタッピングホール３ａ，４ａ，５ａ（図２〜図４参照）を備え、縦枠１，２に貫通するタッピングねじ(図示せず)をこれらのタッピングホール３ａ，４ａ，５ａに切込んで螺合することにより、縦枠１，２間に枠材３〜５を固定して方形の枠体を構成する。
【００２３】
６は中間枠５により仕切られた上下の枠のうち、上部の枠内に装着された障子であり、外開き窓を構成するものである。７は中間枠５により仕切られた上下の枠のうち、下部の枠内に装着された障子であり、嵌め殺し窓を構成するものである。障子６と障子７のパネル１２が外表面が一致するように配置されている。
【００２４】
外開き窓を構成する障子６は、対をなす押出形材でなる左右の縦框８，９間に押出形材でなる上框１０と下框１１を、これらに設けたタッピングホール１０ａ，１１ａ（図３参照）に、縦框８，９を貫通するタッピングねじ(図示せず)を切込み螺合して固定し、これらの框内にパネル（２重パネル）１２を固定したものである。図５に示すように、この障子６は、一方の縦框８と縦枠１とを蝶番１３で結合することにより、縦枠１に回動可能に取付けられる。１４，１５はこの障子６が閉じた際に、障子６の縦框８，９を受けるために縦枠１，２に取付けたアタッチメント、１６は縦框９に取付けた開閉用のハンドルである。
【００２５】
パネル１２の框８〜１１内への取付けは、図３に示すように、下框１１のパネル収容溝１１ｂに収容したゴムライナー１７上にパネル１２を載せ、かつパネル１２の下部の室内外の面に固着した弾性材でなるシーリング受け材１９，２０を、下框１１のパネル収容溝１１ｂ内に形成した室内外の嵌合部１１ｃ，１１ｄに嵌め、同時に、パネル１２の上部の室外側の面に固着した弾性材でなるシーリング受け材２１を上框１０の室外側嵌合部１０ｂに嵌める。さらに、同時に、図５に示すように、縦框９に設けたゴムライナー２２にパネル１２の片側を当接させ、かつパネル１２の左右両側の室外側の面に固着した弾性材でなるシーリング受け材２３，２４を縦框８，９に設けた嵌合部８ａ，９ａに嵌合してパネル１２を框８〜１１内に収容する。
【００２６】
また、図５に示すように、パネル１２の両側の室内側の面に装着する押縁２５，２６により、パネル１２の室内側の面を押圧して固定する。押縁２５，２６は、パネル１２の室内側の面に固着したシーリング受け材２７，２８および室外側シーリング受け材２３，２４を押縁２５，２６で圧縮して押縁２５，２６に設けた係合部２５ａ，２５ｂを、框８，９の見込み面に設けたＬ字形の突起８ｂ，８ｃおよび９ｂ，９ｃに、シーリング受け材２３〜２８の圧縮後の復元によりそれぞれ係合させて固定する。
【００２７】
また、図３に示すように、上部の押縁３０は、パネル１２の上部の室内側の面に固着したシーリング受け材３１および室外側シーリング受け材２１を押縁３０で圧縮し、押縁３０に設けた係合部３０ａ，３０ｂを、上框１０の見込み面に設けたＬ字形の突起１０ｃ，１０ｄに、シーリング受け材２１，３１の圧縮後の復元によりそれぞれ係合させて固定する。
【００２８】
その後、図３、図５に示すように、框８〜１１または押縁２５，２６，３０とパネル１２とシーリング受け材１９，２０，２１，２３，２４，２７，２８，３１との間に形成されている溝に湿式シーリング材３３を充填してシールする。
【００２９】
図３に示すように、上枠３と中間枠５の障子６との各対向部３ｂ，５ｂにはそれぞれシーリング材取付け溝３ｃ，５ｃを形成し、これらの取付け溝３ｃ，５ｃにそれぞれゴム等の弾性材でなる乾式シーリング材３５，３６を嵌合して取付ける。これらのシーリング材３５，３６は，障子６を閉じたときに、それぞれ上框１０、下框１１の室内側の面を当接させてシールするものである。
【００３０】
図５に示すように、縦枠１，２の見込み面１ａ，２ａにはそれぞれ障子６を受けるための押出形材からなるアタッチメント１４，１５を取付ける。障子６のヒンジ１３側のアタッチメント１４は、図７に示すように、縦枠１の見込み面１ａに形成したＬ字形の突起、すなわち先端を室外側に向けて曲成した突起１ｂ，１ｃに、アタッチメント１４に形成した係合部１４ａ，１４ｂをそれぞれ係合させ、タッピングねじ３８により縦枠１に固定して取付ける。
【００３１】
このアタッチメント１４は、障子６の縦框８の室内側の面に対向する面にシーリング材取付け溝１４ｃを形成し、その取付け溝１４ｃに、ゴム等の弾性材からなる乾式シーリング材（第１のシーリング材）４０を嵌合して取付ける。このシーリング材４０には、障子６を閉じた状態において、縦框８の室内側の面が当接して縦框８とアタッチメント１４との間をシールする。
【００３２】
また、このアタッチメント１４の室内側端部に、縦枠１の見込み面１ａに当接させる突起１４ｄを形成すると共に、この突起１４ｄの室外側近傍に、シーリング材取付け部としての突起（溝でもよい）１４ｅを形成する。そしてこの突起１４ｅにゴム等の弾性材からなる乾式シーリング材（第２のシーリング材）４１を嵌合する。このシーリング材４１は、アタッチメント１４を縦枠１に取付けた状態において、縦枠１の見込み面１ａに圧縮された状態で当接してアタッチメント１４と縦枠１との間をシールする。
【００３３】
図７において、４３は水切り片であり、この水切り片４３はゴム等の弾性材からなり、障子６の縦框８の室外側でヒンジ１３側端部に形成した取付け溝８ｄに基部４３ａを嵌合して取付けられる。この水切り片４３は、縦枠１の見込み面１ａに形成したＬ字形の突起１ｄに当接し、縦框８と縦枠１との間に形成される空間４４を閉塞する。
【００３４】
障子６の自由端側のアタッチメント１５は、図８に示すように、縦枠２の見込み面２ａに形成したＬ字形の突起２ｂ、すなわち先端を室外側に向けて曲成した突起２ｂ，２ｃに、アタッチメント１５に形成した係合部１５ａ，１５ｂをそれぞれ係合させ、タッピングねじ４５により縦枠２に固定して取付ける。
【００３５】
このアタッチメント１５は、障子６の縦框９の室内側の面に対向する面にシーリング材取付け溝１５ｃを形成し、その取付け溝１５ｃに、ゴム等の弾性材からなる乾式シーリング材（第１のシーリング材）４６を嵌合して取付ける。このシーリング材４６は、障子６を閉じた状態において、縦框９の室内側の面が当接して縦框９とアタッチメント１５との間をシールする。
【００３６】
また、このアタッチメント１５の室内側端部に、縦枠２の見込み面２ａに当接させる突起１５ｄを形成すると共に、この突起１５ｄの室外側近傍に、シーリング材取付け部としての突起（溝でもよい）１５ｅを形成する。そしてこの突起１５ｅにゴム等の弾性材からなる乾式シーリング材（第２のシーリング材）４７を嵌合して取付ける。このシーリング材４７は、アタッチメント１５を縦枠２に取付けた状態において、縦枠２の見込み面２ａに圧縮された状態で当接してアタッチメント１５と縦枠２との間をシールする。
【００３７】
図８において、４９は水切り片であり、この水切り片４９はゴム等の弾性材からなり、障子６の縦框９の室外側に形成した取付け溝９ｄに基部４９ａを嵌合して取付けられる。この水切り片４９は、縦枠２の見込み面２ａに形成した突起２ｄに接触する室内側水切り部４９ｂと、縦枠２の室外側見付け面２ｅに当接する室外側水切り部４９ｃとを備え、縦框９と縦枠２との間の空間５０を閉塞する。
【００３８】
図３、図９に示すように、上枠３の室外側の下部にシーリング材取付け溝３ｄを形成し、この溝３ｄにゴム等の弾性材でなる水切り片５１の基部５１ａを嵌合して水切り片５１を取付ける。この水切り片５１は、障子６を閉じた状態において、障子６の上框１０から上方に突出させた突出片１０ｅを当接させる室内側水切り部５１ｂと、突出片１０ｅから室外側に離れた箇所に位置し、この突出片１０ｅの見付け面に対面する室外側水切り部５１ｃとを備える。室内側水切り部５１ｂは突出片１０ｅとの接触時に一定位置で曲がり、突出片１０ｅとの接触が安定して行なわれるように、室内側水切り部５１ｂの根本部に薄肉部５１ｄを形成している。なお、この薄肉部５１は、図８に示す水切り片４９の室外側水切り部４９ｃの根元部にも形成されている。
【００３９】
図４、図６に示すように、嵌め殺し窓を構成する障子７は、左右の縦枠１，２と、中間枠５と、下枠４とでパネル（２重パネル）５３が囲まれて構成される。図６において、５４，５５は縦枠１，２の見込み面１ａ，２ａにタッピングねじ５６，５７により取付けられる室外側アタッチメントであり、押縁を構成するものである。
【００４０】
なお、これらのアタッチメント５４，５５は、図１０にアタッチメント５５について示すように、縦枠２の見込み面２ａに先端を室内側に向けて曲成したＬ字形のかぎ状突起２ｆ，２ｇに、アタッチメント５５にＪ字形に曲成して形成したかぎ状の係合部５５ａ，５５ｂを係合させ、さらに室外側の突起５５ｃを縦枠２の見込み面２ａに当接させることにより、アタッチメント５５の室外側への移動や縦枠２からアタッチメント５５が離れることを防止した構造にしてタッピングねじ５７によりアタッチメント５５を固定する。図６に示すように、縦枠１に取付けるアタッチメント５４も同様の構造で取付けられる。
【００４１】
この嵌め殺し窓７を構成するパネル５３は、図４に示すように、下枠４のパネル収容溝４ｂに収容したゴムライナー６０上にパネル５３を載せ、かつパネル５３の下部の室内外の面に固着した弾性材でなるシーリング受け材６１，６２を、下枠４のパネル収容溝４ｂ内に形成した室内外の嵌合部４ｃ，４ｄに嵌め、同時に、パネル５３の上部の室外側の面に固着した弾性材でなるシーリング受け材６３を中間枠５の室外側嵌合部５ｂに嵌める。さらに、図６に示すように、アタッチメント５４、５５に設けたゴムライナー６４，６５にパネル５３の両側面を当接させ、かつパネル５３の左右両側の室外側の面に固着した弾性材でなるシーリング受け材６６，６７をアタッチメント５４，５５に設けた嵌合部５４ｄ，５５ｄに嵌合してパネル５３を縦枠１，２、下枠４および中間枠５で囲まれた枠内に収容する。
【００４２】
また、図６に示すように、パネル５３の両側の室内側の面に装着するアタッチメント７０，７１により、パネル５３の室内側の面を押圧して固定する。アタッチメント７０，７１は、パネル５３の室内側の面に固着したシーリング受け材７２，７３をアタッチメント７０，７１で圧縮してアタッチメント７０，７１にＪ字形のかぎ状に曲成した係合部７０ａ，７０ｂおよび７１ａ，７１ｂを、それぞれ、縦枠１，２の見込み面１ａ，２ａに先端を室外側に曲成して形成したかぎ状の突起１ｂ，１ｃおよび２ｂ，２ｃに、シーリング受け材６２，６３，６６，６７，７２，７３の圧縮後の復元によりそれぞれ係合させて固定する。これらのアタッチメント７０，７１の固定構造を、図１０にアタッチメント７１で代表させ、拡大して示す。
【００４３】
図１０に示すように、縦枠２にはシーリング材の取付け溝２ｈが形成されており、この取付け溝２ｈにゴム等の弾性材でなる乾式シーリング材７５を装着する。そして、前記アタッチメント７１の取付け時に、このシーリング材７５を係合部７１ｂで押圧してアタッチメント７１と縦枠２との間をシールする。図６に示すように、縦枠１とアタッチメント７０との間も同様の構造で取付け溝１ｈにシーリング材７６が取付けられ、アタッチメント７０と縦枠１との間がシールされる。
【００４４】
また、図４に示すように、上部のアタッチメント７８は、パネル５３の上部の室内側の面に固着したシーリング受け材７９および室外側シーリング受け材６３をアタッチメント７８で圧縮してアタッチメント７８に設けた係合部７８ａ，７８ｂを、中間枠５の見込み面５ｃに設けたＬ字形の突起５ｄ，５ｅに、シーリング受け材６３，７９の圧縮後の復元によりそれぞれ係合させて固定する。
【００４５】
その後、図４、図６に示すように、下枠４、中間枠５、アタッチメント５４，５５，７０，７１，７８とパネル５３とシーリング受け材６１，６２，６３，７２，７３，７９との間に形成されている溝に湿式シーリング材８０を充填してシールする。
【００４６】
上述のように、この実施の形態においては、縦枠１，２の室内側アタッチメント１４，１５，７０，７１と、障子６，７の室内側の面との設けられたシーリング材４０，４６，８０のみならず、アタッチメント１４，１５，７０，７１と枠体の障子６，７より室内側部分との間に、乾式のシーリング材４１，４７，７５，７６を備えたので、アタッチメントと枠体との間からの漏水や漏気を防止することができる。
【００４７】
また、障子６，７の室外側と枠体との間にも水切り片４３，４９，５１が設けられ、この室外側水切り片４３，４９，５１またはアタッチメント５４，５５と本発明により設ける乾式のシーリング材４１，４７，７５，７６との間に空間が形成されるが、この空間と窓の室内側との間がこのシーリング材４１，４７，７５，７６によって密閉されるため、高層マンション等において、強風時において、外気と前記空間との気圧差が微小となり、気圧差による前記空間への雨水の浸入が防止される。
【００４８】
また、アタッチメントと枠体との間のシーリング材４１，４７，７５，７６を乾式としたので、施工が容易となる。
【００４９】
また、この実施の形態においては、障子６，７との間のシーリング材４０，４６および８０と枠体とのシーリング材４１，４７および７５，７６とを、アタッチメント１４，１５および７０，７１における見付け方向に延びる直線上に配置したので、外気と室内とを仕切る空間が広くなり、より漏水防止効果が促進される。
【００５０】
また、この実施の形態によれば、アタッチメント１４，１５および７０，７１を設ける枠体の見込み面に形成したかぎ状の突起１ｂ，１ｃ，２ｂ，２ｃに、アタッチメントに設けた係合部１４ａ，１４ｂ，１５ａ，１５ｂおよび７０ａ，７０ｂ，７１ａ，７１ｂを係合させたので、強風に耐えうる強固なアタッチメント１４，１５および７０，７１の支持構造が得られる。
【００５１】
また、この実施の形態によれば、嵌め殺し窓７の室外側にもアタッチメント５４，５５を備えたので、嵌め殺し窓７と組み合わせて構成する窓の構成が嵌め殺し窓による制約を受けにくくなり、構成の自由度が上がる。例えば、上下異なる障子の段窓とした場合、突起２ｃにアタッチメント７１を取り付け、突起２ｃよりも室内寄りにシーリング材７５を取付け溝１ｈ、２ｈもしくは突起１ｄに取付けることにより、高い気水密性を維持することができる。
【００５２】
またこの実施の形態によれば、図５に示すように、外開き窓を構成する障子６の框８，９に、弾性材でなる水切り片４３，４９を取付けたので、漏水防止効果が促進される。
【００５３】
またこの実施の形態によれば、図８に示すように、障子６の自由端側に設ける水切り片４９を、縦枠２の見込み面２ａに形成した突起２ｄに接触する室内側水切り部４９ｂと、縦枠２の見付け面２ｅに当接する室外側水切り部４９ｃとを備えた２枚構造としたので、外壁面を伝って流下する雨水の窓内への浸入が良好に防止される。
【００５４】
またこの実施の形態によれば、図９に示すように、上枠３に取付ける水切り片５１を、外開き窓の障子６を閉じた状態において、障子６の上框１０から上方に突出させた突出片１０ｅを当接させる室内側水切り部５１ｂと、突出片１０ｅから室外側に離れてこの突出片10eの見付け面に対面する室外側水切り部５１ｃとを有する２枚構造としたので、室外側水切り部５１ｃから流下する雨水８２を障子６に接触させることなく落下させることができる上、矢印８３に示すように下から吹き上げる雨水も室内側水切り部５１ｂによって障子内への浸入を防止することが可能となり、良好な漏水防止効果が得られる。
【００５５】
図１１は本発明による窓の嵌め殺し窓７における他の実施の形態を示すもので、図１０に対応して描いたものである。この実施の形態は、アタッチメント７１Ａとして、外開き窓６に用いたアタッチメント１５に類似する構造のアタッチメントを用いたものである。すなわちこのアタッチメント７１Ａは、室内外方向の幅Ｗが広いパネル５３に対応するため、アタッチメント７１Ａの室内外方向の幅Ｘを大きくしたものである。このアタッチメント７１Ａには、縦枠２に設けた突起２ｂ，２ｃにそれぞれ係合する係合部７１ａ，７１ｂを備えると共に、係合部７１ｂより室内側に見込み面２ａに当接する突起７１ｃを有する。また、突起７１ｃと係合部７１ｂとの間にシーリング材取付け部としての突起（溝でもよい）７１ｄを設けこの突起７１ｄにゴム等の弾性材でなる乾式のシーリング材８４を取付けたものである。
【００５６】
この実施の形態においては、アタッチメント７１Ａの取付け状態において、室内側の突起７１ｃが見込み面２ａに当接すると共に、シーリング材８４がアタッチメント７１Ａと見込み面２ａとの間で圧縮されてシールする。この実施の形態においても、シーリング材８０とシーリング材８４が見付け面方向に直線上に並ぶことにより、アタッチメント５５，７１Ａ間の空間８５の室内外方向の幅が大きくなり、シーリング効果が促進される。
【００５７】
また、見込み面２ａにかぎ状の突起２ｂ，２ｃを形成すると共に、突起２ｂ，２ｃの間にパネル５３の幅が小さい場合には縦枠２側にシーリング材７５（図１０参照）を設けるための取付け溝２ｈを設けておくことにより、パネル５３の幅Ｗの大小に応じてアタッチメント７１Ａの室内外方向の幅Ｘを変えることで同じ突起２ｂ，２ｃを用いたアタッチメント７１，７１Ａの取付けが可能となり、縦枠２の兼用が可能となる。このアタッチメント７１Ａの構造は縦枠１にも適用される。
【００５８】
以上の説明は段窓について行なったが、図１２に示すように、本発明は異種の窓が横並びに配置される連窓にも適用できる。図１２において、１Ａ，２Ａは縦枠、３Ａは上枠、４Ａは下枠、５Ａはこの枠内を左右に仕切る中間枠である。また、６Ａは外開き窓の障子、７Ａは嵌め殺し窓を構成する障子である。８６，８７は外開き窓６Ａにおいて、それぞれ上枠３Ａ、下枠４Ａと障子６Ａとの間に設けたアタッチメント、８８，８９はそれぞれ上枠３Ａ、下枠４Ａと嵌め殺し窓７Ａとの間に設けたアタッチメントであり、これらは上枠３Ａ，４Ａを外開き窓と嵌め殺し窓に兼用するためのものである。このようなアタッチメント８６〜８９にも前記アタッチメント１４，１５，７０，７１，７１Ａと同様の取付け構造ならびにシール構造を用いる。
【００５９】
以上本発明を実施の形態により説明したが、本発明は、異種の障子が外開き窓や嵌め殺し窓を構成する場合のみならず、他の種類の窓の組み合わせにも適用することが可能であり、また、障子を３枚以上並設する場合にも適用可能である。また、本発明を実施する場合、上記実施の形態に限られず、本発明の要旨を逸脱しない範囲において、種々の変更、付加が可能である。
【符号の説明】
【００６０】
１，１Ａ，２，２Ａ：縦枠、３，３Ａ：上枠、４，４Ａ：下枠、５，５Ａ：中間枠、６，６Ａ：外開き窓を構成する障子、７，７Ａ：嵌め殺し窓を構成する障子、８，９：縦框、１０：上框、１１：下框、１２：パネル、１３：蝶番、１４，１５：アタッチメント、３３：湿式シーリング材、３５，３６，４０，４１，４７：乾式シーリング材、４３，４９，５１：水切り片、５３：パネル、５４，５５：アタッチメント、７０，７１，７８：アタッチメント、７５，７６：乾式シーリング材、８０：湿式シーリング材、８６〜８９：アタッチメント
【図１】
2014058795.tif 000003
【図２】
2014058795.tif 000004
【図３】
2014058795.tif 000005
【図４】
2014058795.tif 000006
【図５】
2014058795.tif 000007
【図６】
2014058795.tif 000008
【図７】
2014058795.tif 000009
【図８】
2014058795.tif 000010
【図９】
2014058795.tif 000011
【図１０】
2014058795.tif 000012
【図１１】
2014058795.tif 000013
【図１２】
2014058795.tif 000014